(57)【要約】【課題】薄紙材料を歯ブラシの柄に粘着する簡単な作業にて、歯磨き液の飛散防止が確実に行なわれ、また歯磨き時の楽しさを演出できる歯磨き時の飛散防止具および歯磨き時の飛散防止具用収納ケースを提供を得る。【解決手段】  薄紙１と粘着部分２と保護シート３で構成されており、前記薄紙１が折りたたまれた状態であって、折りたたまれた面の外側領域の一部に前記粘着部分２が設けられ、前記粘着部分２は、前記保護シート３にて被覆された歯磨き時の飛散防止具１０とする。【選択図】図１
2010046228.tif 000002
【特許請求の範囲】
【請求項１】
歯磨き時の歯磨き液が飛散するのを防止する歯磨き時の飛散防止具であって、
少なくとも１枚以上の薄紙状材料と粘着部分と保護シートで構成されており、前記薄紙状材料が折りたたまれた状態であって、折りたたまれた面の外側領域の一部に前記粘着部分が設けられ、前記粘着部分は、前記保護シートにて被覆されたことを特徴とする歯磨き時の飛散防止具。
【請求項２】
前記薄紙状材料は、紙または布または化学繊維であり、吸湿性があり、張りを有し、また肌触りの良いことを特徴とする請求項１記載の歯磨き時の飛散防止具。
【請求項３】
前記薄紙状材料は、少なくとも１枚以上の薄紙状材料で構成され、多層化の場合には、追加する薄紙状材料については、１枚目の薄紙状材料の上に重ねるように、多層化されて接着されることを特徴とする請求項１または２記載の歯磨き時の飛散防止具。
【請求項４】
前記薄紙状材料の粘着部分は、歯ブラシの柄に設けられた目印を付けた領域内に貼り付けられ、前記目印の領域の端部と歯ブラシ先端部との間の距離は、４０ｍｍ以上から５０ｍｍ以下の範囲であることを特徴とする請求項１乃至３のいずれか１項記載の歯磨き時の飛散防止具。
【請求項５】
前記薄紙状材料の表面には、図柄模様が形成されていることを特徴とする請求項１乃至４のいずれか１項記載の歯磨き時の飛散防止具。
【請求項６】
前記図柄模様が、鏡に反射し、反転した図柄模様として歯磨きする人に目視されることを特徴とする請求項５記載の歯磨き時の飛散防止具。
【請求項７】
少なくとも１枚以上の薄紙状材料と粘着部分と保護シートで構成されており、前記薄紙状材料が折りたたまれた状態であって、折りたたまれた面の外側領域の一部に前記粘着部分が設けられ、前記粘着部分は、前記保護シートにて被覆された歯磨き時の飛散防止具を複数個収納する歯磨き時の飛散防止具用収納ケースであって、前記歯磨き時の飛散防止具用収納ケースには、取り出し口が設けられ、前記取り出し口に、前記歯磨き時の飛散防止具の保護シートが整列されたことを特徴とする歯磨き時の飛散防止具用収納ケース。
【請求項８】
前記歯磨き時の飛散防止具用収納ケース内に歯ブラシが収納されることを特徴とする請求項７記載の歯磨き時の飛散防止具用収納ケース。
【発明の詳細な説明】
【技術分野】
【０００１】
本発明は、歯磨き時の歯磨き液の飛散を防止するのに好適な、歯磨き時の飛散防止具および歯磨き時の飛散防止具用収納ケースに関する。
【背景技術】
【０００２】
従来、歯磨き時の歯磨き液の飛散を防止するためには、穴、あるいはスリットを有する専用のマスクを装着する
図８は、従来の歯磨き時の飛散防止用のマスクの正面図である。
図８にて、歯磨き時の飛散防止用のマスク３０は、マスク前面の中央部にスリット４０が設けられている。歯磨き時には、歯磨き時の飛散防止用のマスク３０をゴム輪５０にて顔に装着し、ついで、歯ブラシを、前記スリット４０から、口の中へ侵入させて歯磨きを行なっていた。
【０００３】
特許文献１には、歯磨き時の歯磨き液の飛散を防止するために、マスクに割れ目を設けた内容が記載されている。
また、特許文献２には、歯磨き時の歯磨き液の飛散を防止するために、マスクに歯ブラシ貫通孔を設けた内容が記載されている。
【０００４】
【特許文献１】実案登録第３１２６９４７（平成１８年１０月）歯磨き液飛散防止マスク（出願人：平塚清徳）
【０００５】
【特許文献２】特公平７−３８８６４歯磨用マスク（出願人：岩井紘宇）
【発明の開示】
【発明が解決しようとする課題】
【０００６】
しかしながら、従来の歯磨き時の飛散防止用のマスクは、以下の問題点があった。
第１に使用時に、手間がかかるという問題点があった。
即ち、歯磨きを行う前に、あらかじめマスクを装着する手間、その後に歯ブラシをマスクに貫通させる手間があり、一般への普及を妨げていた。
【０００７】
第２に、マスクに、歯ブラシ貫通用のスリット、あるいは割れ目、あるいは貫通孔の加工を施す必要があり、この加工により、マスク本体の価格が高くなるという問題点があった。
【０００８】
本発明の課題は、簡単な作業にて、歯磨き時の飛散防止が確実に行なわれ、また歯磨き時の楽しさを演出できる歯磨き時の飛散防止具および歯磨き時の飛散防止具用収納ケースを提供することである。
【課題を解決するための手段】
【０００９】
本発明の歯磨き時の飛散防止具は、歯磨き時の歯磨き液が飛散するのを防止する歯磨き時の飛散防止具であって、少なくとも１枚以上の薄紙状材料と粘着部分と保護シートで構成されており、前記薄紙状材料が折りたたまれた状態であって、折りたたまれた面の外側領域の一部に前記粘着部分が設けられ、前記粘着部分は、前記保護シートにて被覆されたことを特徴とする歯磨き時の飛散防止具である。
【００１０】
ここで、前記薄紙状材料は、紙または布または化学繊維であり、吸湿性があり、張りを有し、また肌触りの良いことを特徴とする。
【００１１】
また、前記薄紙状材料は、少なくとも１枚以上の薄紙状材料で構成され、多層化の場合には、追加する薄紙状材料については、１枚目の薄紙状材料の上に重ねるように、多層化されて接着されることを特徴とする。
【００１２】
ここで、前記歯磨き時の飛散防止具の薄紙状材料の粘着部分は、歯ブラシの柄に設けられた目印を付けた領域内に貼り付けられ、前記目印の領域の端部と歯ブラシの先端部との間の距離は、４０ｍｍ以上から５０ｍｍ以下の範囲であることを特徴とする。
なお、前記歯ブラシの柄に設けられた目印の手段は、歯ブラシの柄につけたくぼみ、あるいは歯ブラシの柄に印刷したインク部分、あるいは歯ブラシの柄に形成された粗さが異なって反射光が違う領域のいずれかが選択される。
前記薄紙状材料の表面には、図柄模様が形成されており、前記図柄模様が、鏡に反射し、反転した図柄模様として、歯磨きする人に目視されることを特徴とする。
【００１３】
更に、前記歯磨き時の飛散防止具の薄紙状材料の粘着部分は、市販されている通常の歯ブラシの柄に貼り付けられ、前記市販されている通常の歯ブラシの先端部との間の距離は、４０ｍｍ以上から５０ｍｍ以下の範囲とすることを特徴とする。
前記薄紙状材料の表面には、図柄模様が形成されており、前記図柄模様が、鏡に反射し、反転した図柄模様として、歯磨きする人に目視されることを特徴とする。
【００１４】
また、本発明の歯磨き時の飛散防止具用収納ケースは、少なくとも１枚以上の薄紙状材料と粘着部分と保護シートで構成されており、前記薄紙状材料が折りたたまれた状態であって、折りたたまれた面の外側領域の一部に前記粘着部分が設けられ、前記粘着部分は、前記保護シートにて被覆された歯磨き時の飛散防止具を複数個収納する歯磨き時の飛散防止具用収納ケースであって、前記歯磨き時の飛散防止具用収納ケースには、取り出し口が設けられ、前記取り出し口に、前記歯磨き時の飛散防止具の保護シートが整列されたことを特徴とする歯磨き時の飛散防止具用収納ケースである。
【００１５】
また、本発明の歯磨き時の飛散防止具用収納ケースは、歯磨き時の飛散防止具を複数個と、柄に目印を付けた専用の歯ブラシ、あるいは通常の市販の歯ブラシを一緒に収納して良い。
【発明の効果】
【００１６】
本発明によれば、薄紙状材料を歯ブラシの柄に粘着する簡単な作業にて、歯磨き液の飛散防止が確実に行なわれ、また薄紙状材料の表面に図柄が形成されていて、歯磨き時の楽しさを演出できる歯磨き時の飛散防止具および歯磨き時の飛散防止具用収納ケースを提供できる。
【００１７】
請求項１に係る発明によれば、歯磨き時の歯磨き液が飛散するのを防止する歯磨き時の飛散防止具であって、前記歯磨き時の飛散防止具は、少なくとも１枚以上の薄紙材料で構成されており、前記薄紙材料が折りたたまれた状態で保管され、折りたたまれた面の外側領域の一部に粘着部分が設けられ、前記粘着部分を歯ブラシの柄に接着し、前記薄紙材料を広げて使用される歯磨き時の飛散防止具を提供できるので、簡単な作業にて、歯磨きを行うことができる。
【００１８】
また、請求項４の発明によれば、前記薄紙状材料の粘着部分は、前記歯ブラシの柄に設けられた目印を付けた領域内に貼り付けられ、前記目印の領域の端部と歯ブラシ先端部との間の距離は、４０ｍｍ以上から５０ｍｍ以下の範囲であるので、確実に飛散を防止する
ことができる。
請求項５および６の発明によれば、前記薄紙状材料の表面には、図柄模様が形成されていて、かつ前記図柄が、鏡に対しての反転図柄であるので、歯磨きする人に目視される、これによって歯磨き時の楽しさを演出することができ、歯磨きの促進にも寄与する。
【００１９】
請求項７の発明によれば、少なくとも１枚以上の薄紙状材料と粘着部分と保護シートで構成されており、前記薄紙状材料が折りたたまれた状態であって、折りたたまれた面の外側領域の一部に前記粘着部分が設けられ、前記粘着部分は、前記保護シートにて被覆された歯磨き時の飛散防止具を複数個収納する歯磨き時の飛散防止具用収納ケースであって、前記歯磨き時の飛散防止具用収納ケースには、取り出し口が設けられ、前記取り出し口に、前記歯磨き時の飛散防止具の保護シートが整列されたことを特徴とする歯磨き時の飛散防止具用収納ケースを提供できる。
【発明を実施するための最良の形態】
【００２０】
図１は、本発明の歯磨き時の飛散防止具の斜視図である。
図１（ａ）は、歯磨き時の飛散防止具の折りたたまれた状態の側面図、
図１（ｂ）は、歯磨き時の飛散防止具の折りたたまれた状態の下面図、
図１（ｃ）は、図１（ｂ）にて、保護シート３を剥がした状態の下面図である。
図１にて、１０は、折りたたまれた状態の歯磨き時の飛散防止具である。
ここで、折りたたまれた状態の歯磨き時の飛散防止具１０は、折りたたまれた薄紙１と、折りたたまれた後に露出した部分に設けられた粘着部分２と、粘着部分２を被覆する保護シート３とで構成されている。
ここで、粘着部分２の薄紙１の開かれた面での位置は、ほぼ中央近傍となることが好ましい。
前記薄紙は、再生紙を主成分とした紙であり、吸湿性に優れ、また適度の張りを有し、また肌触りの良いものが使用される。但し、材質は、紙には限られず、例えば、吸湿性のある布または化学繊維であっても良い。
【００２１】
図２は、歯磨き時の飛散防止具を歯ブラシへ装着する方法の説明図である。
図２（ａ）は、歯ブラシ２０の柄５のくぼみ６の領域内に、折りたたまれた状態の歯磨き時の飛散防止具１０の粘着部分２を貼り付けた状態の側面図である。
図２（ｂ）は、歯磨き時の飛散防止具の折りたたまれた薄紙１を開げて、１枚の薄紙１１とした状態の側面図である。
ここで、図２の例では、薄紙１１が１枚の場合であるが、薄紙が、２枚以上の多層の場合については、図４、図５にて説明する。
なお、前記くぼみ６の端部と歯ブラシ２０先端部との間の距離Ｌは、４０ｍｍ以上から５０ｍｍ以下の範囲が選択される。
図３は、歯磨き時の飛散防止具を歯ブラシ２０へ装着して、薄紙１１を開き、歯磨きを行っている状態の正面図である。歯磨き時の飛散防止具の開かれた薄紙１１が、口の周囲を覆うように歯磨き中に移動し、歯磨き時の歯磨き液の飛散を防止する。
更に、歯磨き後は、歯磨き時の飛散防止具の開かれた薄紙１１を、歯ブラシから剥がして、口を拭くことに使用できる。
なお、前記の歯ブラシ２０は、くぼみ６０を有する専用の歯ブラシであるが、市販の通常の歯ブラシを用いても良い。
【００２２】
図４は、薄紙が複数枚折りたたまれた歯磨き時の飛散防止具を歯ブラシ２０に装着後、薄紙を開いた状態の説明図である。
図４（ａ）は、歯ブラシと、開かれた多層の薄紙１２の側面図であり、図４（ｂ）は、開かれた薄紙１２の上面図である。図４は、開かれた多層の薄紙１２が３層の例であり、１２ａ，１２ｂ，１２ｃと開かれた薄紙が、下から順にその外径が小さくなるように、順次積層されている。また、最も外側の１２ｃの開かれた薄紙には、図柄１３が印刷されている。
【００２３】
図５は、薄紙が複数枚折りたたまれた歯磨き時の飛散防止具を歯ブラシ２０に装着後、薄紙を開いた状態の他の例の説明図である。
図５（ａ）は、歯ブラシと、開かれた多層の薄紙１２０の側面図であり、図５（ｂ）は、開かれた薄紙の上面図である。
図５は、開かれた多層の薄紙１２０が３層の例であり、１２０ａ，１２０ｂ，１２０ｃと開かれた薄紙が、下から順にその外径が大きくなるように、順次積層されている。また、最も外側の１２０ｃの開かれた薄紙には、図柄１３０が印刷されている。
図５の場合には、最も外側の薄紙の面積が大きくなり、その結果、図柄を大きくすることができ、見易くなる。
【００２４】
図６は、本発明の歯磨き時の飛散防止具に付加される、図柄の例である。
図６（ａ），図６（ｂ）、図６（ｃ）、図６（ｄ）、図６（ｅ）、図６（ｆ）の図柄は、歯磨き時に鏡に映ることを想定して作成されており、鏡によって反転の図柄となって、目視される。
前記薄紙状材料の表面には、図柄模様が形成されており、前記図柄模様が、鏡に反射し、反転した図柄模様として歯磨きする人に目視され、これによって、歯磨き時の楽しさを演出することができる。
【００２５】
図６は、歯磨き時の飛散防止具を複数個収納した収納ケースの説明図である。
図６（ａ）は、収納ケース５０の上面図であり、図６（ｂ）は、収納ケース５０の断面図である。収納ケース内の折りたたまれた状態の歯磨き時の飛散防止具１００は、取り出し口６０より、１個ずつ取り出すことができる。
また、本収納ケースに、柄にくぼみを付けた専用の歯ブラシ、あるいは通常の市販の歯ブラシを一緒に収納して良い。
【実施例】
【００２６】
（実施例１）
歯磨き時の飛散防止具の実施例１につき、以下記載する。
薄紙の材質：再生紙
寸法：１２０ｍｍ円形
枚数：１枚    
折り畳み寸法：２０ｍｍ×６０ｍｍ
粘着部寸法：１５ｍｍ×１０ｍｍ
使用歯ブラシ
全長：２００ｍｍ
くぼみ位置：先端から４０ｍｍ
くぼみ寸法：１７ｍｍ×１２ｍｍ×０．５ｍｍ
上記歯ブラシに、本発明の歯磨き時の飛散防止具を装着して、歯磨きテストを実施した結果、歯磨き液の飛散は、見られなかった。
【００２７】
（実施例２）
歯磨き時の飛散防止具の実施例２につき、以下記載する。
薄紙の材質：再生紙
枚数：３枚
寸法：第１層目の薄紙、１２０ｍｍ円形
第２層目の薄紙、１００ｍｍ円形
第３層目の薄紙、８０ｍｍ円形
折り畳み寸法：２０ｍｍ×６０ｍｍ
粘着部寸法：１５ｍｍ×１０ｍｍ
使用歯ブラシ
全長：２００ｍｍ
くぼみ位置：先端から４０ｍｍ
くぼみ寸法：１７ｍｍ×１２ｍｍ×０．５ｍｍ
上記歯ブラシに、本発明の歯磨き時の飛散防止具を装着して、歯磨きテストを実施した結果、歯磨き液の飛散は、見られなかった。
【図面の簡単な説明】
【００２８】
【図１】本発明の歯磨き時の飛散防止具の斜視図である。図１（ａ）は、歯磨き時の飛散防止具の折りたたまれた状態の側面図、図１（ｂ）は、歯磨き時の飛散防止具の折りたたまれた状態の下面図、図１（ｃ）は、図１（ｂ）にて、保護シート３を剥がした状態の下面図である。
【図２】歯磨き時の飛散防止具を歯ブラシへ装着する方法の説明図である。図２（ａ）は、歯ブラシ２０の柄５のくぼみ６に、折りたたまれた状態の歯磨き時の飛散防止具１０の粘着部分２を貼り付けた状態の側面図であり、図２（ｂ）は、歯磨き時の飛散防止具の薄紙材料を開げた状態の側面図である。
【図３】歯磨き時の飛散防止具を歯ブラシへ装着して、歯磨きを行っている状態の正面図である。
【図４】薄紙が複数枚折りたたまれた歯磨き時の飛散防止具を歯ブラシに装着後、薄紙を開いた状態の説明図である。図４（ａ）は、歯ブラシと、開かれた薄紙の側面図であり、図４（ｂ）は、開かれた薄紙の上面図である。
【図５】薄紙が複数枚折りたたまれた歯磨き時の飛散防止具を歯ブラシに装着後、薄紙を開いた状態の他の例の説明図である。図５（ａ）は、歯ブラシと、開かれた薄紙の側面図であり、図５（ｂ）は、開かれた薄紙の上面図である。
【図６】本発明の歯磨き時の飛散防止具に付加される、図柄模様の例である。
【図７】本発明の歯磨き時の飛散防止具用収納ケースの斜視図である。図６（ａ）は、歯磨き時の飛散防止具用収納ケースの上面図、図６（ｂ）は、歯磨き時の飛散防止具用収納ケースの断面図である。
【図８】従来の歯磨き時の飛散防止用のマスクの正面図である。
【符号の説明】
【００２９】
１０  折りたたまれた状態の歯磨き時の飛散防止具
１      折りたたまれた薄紙
１１、１２ａ，１２ｂ，１２ｃ、１２０ａ，１２０ｂ，１２０ｃ    開かれた薄紙
１２，１２０      開かれた多層の薄紙
２，２００  粘着部分
３，３００  保護シート
４  ブラシ部
５  柄
６  くぼみ部
１３、１３０    図柄
２０  歯ブラシ
５０  歯磨き時の飛散防止具用収納ケース
６０  取り出し口
１００  折りたたまれた状態の歯磨き時の飛散防止具
３０  マスク
４０  スリット
５０  ごむ輪
Ｃ    中心線
Ｌ    くぼみ６の端部と歯ブラシ２０先端部との間の距離
【図１】
2010046228.tif 000003
【図２】
2010046228.tif 000004
【図３】
2010046228.tif 000005
【図４】
2010046228.tif 000006
【図５】
2010046228.tif 000007
【図６】
2010046228.tif 000008
【図７】
2010046228.tif 000009
【図８】
2010046228.tif 000010